(57)【要約】【課題】  傾斜勾配を有する家屋の屋根側に対して風力発電機を支える支持マストを強固に安定した状態で取付け固定し得る風力発電機用の取付け装置を提供する。【解決手段】  傾斜勾配を有する家屋Ｒの屋根側に対して風力発電機１２を支える支持マスト４を固定する風力発電機用の取付け装置１であって、屋根Ｒの傾斜方向に沿いかつ所定の間隔をおいて対向状に配置される少なくとも２本の縦フレーム２、２と、両縦フレーム２、２の一方端側間に横架状態で組付けられた横フレーム３と、横フレーム３のほぼ中心部位に立設状態で組付けられかつ上端部に風力発電機１２を支える支持マスト４とを備え、両縦フレーム２、２を屋根Ｒ側に対しその一方端側及び他方端側の少なくとも４ヶ所で固定する。【選択図】  図２
2007120318.tif 000002
【特許請求の範囲】
【請求項１】
傾斜勾配を有する家屋の屋根に対して風力発電機を支える支持マストを固定する風力発電機用の取付け装置であって、
前記屋根の傾斜方向に沿いかつ所定の間隔をおいて対向状に配置される少なくとも２本の縦フレームと、
この両縦フレームの一方端側間に横架状態で組付けられた横フレームと、
この横フレームのほぼ中心部位に立設状態で組付けられかつ上端部に風力発電機を支える支持マストとを備え、
前記両縦フレームを屋根側に対しその一方端側及び他方端側の少なくとも４ヶ所で固定したことを特徴とする風力発電機用の取付け装置。
【請求項２】
請求項１記載の風力発電機用の取付け装置であって、前記横フレームと支持マストとは該支持マストの立設状態における角度調整可能に組付けられていることを特徴とする風力発電機用の取付け装置。
【請求項３】
請求項１または２記載の支持マストの一部と両縦フレームの他端部との間にはそれぞれステー部材を張設したことを特徴とする風力発電機用の取付け装置。
【請求項４】
請求項１〜３のいずれか１に記載の風力発電機用の取付け装置であって、前記屋根側において仮想方形の４隅角部に対応する部位にはそれぞれ固定部材を設け、この固定部材のうち屋根の傾斜方向に沿って対向する２個の固定部材に対しそれぞれ縦フレームが結合部材を介して締着固定され、該縦フレームに対して横フレームとステー部材とがその傾斜方向に沿う取付け位置の調整可能に組付けられていることを特徴とする風力発電機用の取付け装置。
【請求項５】
請求項１〜４のいずれか１に記載の風力発電機用の取付け装置であって、支持マストに対し太陽光発電用パネルユニットがその受光部をほぼ上向きに指向された状態でかつ該支持マストの軸回りに回動変位可能に装設されていることを特徴とする風力発電機用の取付け装置。
【発明の詳細な説明】
【技術分野】
【０００１】
本発明は、プロペラ形の風車等による風力発電機を家屋における屋根等、とくに、傾斜勾配をもつ屋根等に設置するための風力発電機用の取付け装置に関する。
【背景技術】
【０００２】
従来、この種の風力発電機用の取付け装置にあっては、風力発電機を支える支持パイプと、この支持パイプを支える横パイプと、この横パイプに接続される縦パイプとを備え、家屋の屋根等の土台に対し前記横パイプと縦パイプをアンカーとして固定具を介して固定し、前記横パイプと支持パイプとの間、縦パイプと支持パイプとの間にそれぞれステーとしての支持棒を設けて該支持パイプを安定に固定するよう構成されている。（特許文献１参照）
【特許文献１】特開平１１−２０１０２２号
【発明の開示】
【発明が解決しようとする課題】
【０００３】
しかしながら、上記した従来の構成にあっては、横パイプと縦パイプとＴ字状に接続してアンカーとして構成し、屋根の土台の傾斜に対応して風力発電機を支える支持パイプを垂直状態に支持固定することができるものの、前記のように一本の横パイプと一本の縦パイプとをＴ字状に接続する構成であるため、風力発電機を支える支持パイプを傾斜勾配を有する屋根に対して強固に安定した状態で取付ける装置としては満足するものではなかった。
そこで、本発明は、上記した従来の問題点に鑑み、傾斜勾配を有する家屋の屋根側に対して風力発電機を支える支持マストを強固にかつ安定した状態で取付け固定することができる風力発電機用の取付け装置を提供することを課題とする。
【課題を解決するための手段】
【０００４】
上記した課題は、各請求項記載の発明によって解決される。
すなわち、請求項１記載の発明は、傾斜勾配を有する家屋の屋根側に対して風力発電機を支える支持マストを固定する風力発電機用の取付け装置であって、
前記屋根の傾斜方向に沿いかつ所定の間隔をおいて対向状に配置される少なくとも２本の縦フレームと、
この両縦フレームの一方端側間に横架状態で組付けられた横フレームと、
この横フレームのほぼ中心部位に立設状態で組付けられかつ上端部に風力発電機を支える支持マストとを備え、
前記両縦フレームを屋根側に対しその一方端側及び他方端側の少なくとも４ヶ所で固定したことを特徴とする。
【０００５】
この発明にあっては、傾斜勾配を有する屋根側に対し少なくとも４ヶ所で固定される両縦フレームを固定するとともに、この両縦フレームの一方端側間に横架状態で組付けられた横フレームに風力発電機を支える支持マストを立設状態で組付けるものであるから、風力発電機を支える支持マストを立設状態で組付けた横フレームを、屋根に対して安定した状態で取付け固定された縦フレームによって強固にかつ安定した状態で組付けられる。したがって、傾斜勾配を有する家屋の屋根側に対して風力発電機を支える支持マストを強固にかつ安定した状態で取付け固定することができる。
【０００６】
請求項２記載の発明は、請求項１記載の風力発電機用の取付け装置であって、前記横フレームと支持マストとは該支持マストの立設状態における角度調整可能に組付けられていることを特徴とする。
【０００７】
この発明にあっては、種々異なる傾斜勾配の屋根に対応して風力発電機を支える支持マストの垂直な立設状態を簡単かつ容易に確保することができる。
【０００８】
請求項３記載の発明は、請求項１または２記載の支持マストの一部と両縦フレームの他端部との間にはそれぞれステー部材を張設したことを特徴とする。
【０００９】
この発明にあっては、縦フレーム（横フレーム）に対する風力発電機を支える支持マストの組付けを一層強固にしてその立設状態を確実に確保することができる。
【００１０】
請求項４記載の発明は、請求項１〜３のいずれか１に記載の風力発電機用の取付け装置であって、前記屋根側において仮想方形の４隅角部に対応する部位にはそれぞれ固定部材を設け、この固定部材のうち屋根の傾斜方向に沿って対向する２個の固定部材に対しそれぞれ縦フレームが結合部材を介して締着固定され、該縦フレームに対して横フレームとステー部材とがその傾斜方向に沿う取付け位置の調整可能に組付けられていることを特徴とする。
【００１１】
この発明にあっては、種々異なる傾斜勾配の屋根に対応して風力発電機を支える支持マストの垂直な立設状態を簡単かつ容易に確保することができる。
【００１２】
請求項１〜４のいずれか１に記載の風力発電機用の取付け装置であって、支持マストに対し太陽光発電用パネルユニットがその受光部をほぼ上向きに指向された状態でかつ該支持マストの軸回りに回動変位可能に装設されていることを特徴とする。
【００１３】
この発明にあっては、太陽光発電用パネルユニットをも安定した状態で簡易に組付けることができ、風力発電機に加えて太陽光発電用パネルユニットによる発電システムも可能となる。
【発明の効果】
【００１４】
請求項１記載の発明によれば、傾斜勾配を有する家屋の屋根側に対して風力発電機を支える支持マストを強固にかつ安定した状態で取付け固定することができる。
【００１５】
請求項２記載の発明によれば、種々異なる傾斜勾配の屋根に対応して風力発電機を支える支持マストの垂直な立設状態を簡単かつ容易に確保することができる。
【００１６】
請求項３記載の発明によれば、縦フレーム（横フレーム）に対する風力発電機を支える支持マストの組付けを一層強固にしてその立設状態を確実に確保することができる。
【００１７】
請求項４記載の発明によれば、種々異なる傾斜勾配の屋根に対応して風力発電機を支える支持マストの垂直な立設状態を簡単かつ容易に確保することができる。
【００１８】
請求項５記載の発明によれば、太陽光発電用パネルユニットをも安定した状態で簡易に組付けることができ、風力発電機に加えて太陽光発電用パネルユニットによる発電システムも可能となる。
【発明を実施するための最良の形態】
【００１９】
次に、本発明を実施するための最良の形態について、実施例にしたがって説明する。
【実施例】
【００２０】
図１〜図８に示すように、本実施例の取付け装置１は、傾斜勾配を有する家屋の屋根側に対して風力発電機を取付けるものであって、屋根Ｒの傾斜方向に沿いかつ所定の間隔をおいて対向状に配置される少なくとも２本の縦フレーム２、２と、この両縦フレームの一方端側間に横架状態で組付けられる横フレーム３と、この横フレーム３のほぼ中心部位に立設状態で組付けられかつ上端部に風力発電機１２を支える支持マスト４とを主体として構成されている。
【００２１】
前記両縦フレーム２、２は、断面ほぼ角筒形状の比較的長尺物からなり、上面にはその長手方向に沿って取付け溝６が形成されている。
しかして、この両縦フレーム２、２を家屋の屋根Ｒに対して取付けるに際し、該屋根Ｒにおける所定の大きさに仮想した方形の４隅角部に対応する部位にそれぞれ所定の構造の固定部材、本実施例においては金属製の瓦形状の縦フレーム用の固定部材７〜７が敷設され、この固定部材７〜７の上面に形成した一対の立上片７ａに結合部材８が嵌合締着されており、この固定部材７〜７のうち屋根の傾斜方向に沿って対向する２個の固定部材７、７に対し縦フレーム２、２がそのほぼ一方端部（図１では上端部）及びほぼ他方端部（図１では下端部）を前記結合手段８にそれぞれ嵌合位置してこの少なくとも４ヶ所においてボルト・ナット等の締付け手段５により締着固定されるものである。これによって、２本の縦フレーム２、２が屋根Ｒに対しその傾斜方向に沿いかつ所定の間隔をおいて対向状に取付け固定されるものである。
【００２２】
前記横フレーム3は、断面ほぼ円筒形状の比較的長尺物からなり、前記両縦フレーム２、２の一方端側間に横架状態で位置されるとともに、該縦フレーム２、２の上面に対しその取付け溝５に対して嵌合定置されるＴ型ボルト及びそのネジ部に螺合されたナットからなる締付け手段９によって締付け固定されるメタル軸受け状の横フレーム用の固定部材１０、１０により免振ゴム等からなる免振部材１１を介して組付けられている。
なお、横フレーム３は、縦フレーム２に対し、その固定部材１０、１０の固定位置を変えることにより、取付け位置が調整できるように構成されるものである。
【００２３】
前記支持マスト４は、断面ほぼ円筒形状の比較的長尺物からなり、その上端部には、例えば、プロペラ形風車からなる風力発電機１２が装設され、ほぼ下端部が横フレーム３のほぼ中央部に支持ポスト用の固定部材１３によって立設状態で組付けられている。
すなわち、締付けボルトで１４により締着されるほぼＵ字形状の弾性的に曲折された前記支持ポスト用の固定部材１３が前記横フレーム３のほぼ中央部に締着され、この固定部材１３に対し取付けボルト１５が横方向に突設され、この取付けボルト１５に緩衝ゴム３３ａ付きの一対の挟持部材３３が設けられていて、前記支持マスト４がそのほぼ下端部をその径方向に取付けボルト１５を貫通させてその外周を一対の緩衝ゴム３３ａ付きの挟持部材３３を介してナット１５ａにより締着されている。
【００２４】
これによって、支持マスト４が締付けボルト１４によって締着される固定部材１３、この固定部材１３に突設された取付けボルト１５、この取付けボルト１５に設けられた一対の挟持部材３３及び該取付けボルト１５に螺合されるナット１５ａによって横フレーム３に対して立設状態で組付けられるものであり、締付けボルト１５の締付けを弛緩して、固定部材１３を横フレーム３の軸回りの回動変位を許容することにより、縦フレーム２、２の種々の傾斜角度に対して常に垂直状の立設状態を得ることが可能である。
【００２５】
前記支持マスト４のほぼ中央の上部寄り部位には、円筒状の取付けブラケット１６が嵌合され、この取付けブラケット１６の外周に二又状の取付け片１６ａ，１６ａが所定間隔をおいて突設され、この取付け片１６ａ，１６ａと前記縦フレーム２、２の他端端部（図１では下端部）との間には棒状のステー部材１８、１８が締付けボルト１７により締着状態でそれぞれ張設されている。
【００２６】
前記ステー部材１８、１８における前記縦フレーム２、２側の取付けにあっては、縦フレーム２、２の上面に対しその取付け溝５に対しＴ型ボルト及びそのネジ部に螺合されたナットからなる締付け手段１９によって締付け固定されるほぼＬ字状のステー部材用の固定部材２０により締着手段を介して組付けられている。
なお、ステー部材１８、１８は、縦フレーム２に対し、その固定部材２０、２０の固定位置を変えることにより、支持マスト４に対する取付け角度を調整できるように構成されるものである。
【００２７】
前記支持マスト４における前記取付けブラケット１６の下位位置において、ほぼＵ字形状の弾性的に曲折された上下の支持ブラケット２１、２２が上下方向に所定の間隔をおいて締付けボルト２３、２４を介して締着固定されており、この上下の支持ブラケット２１、２２には取付けボルト２５、２６が横方向にそれぞれ突設されている。
【００２８】
太陽光発電パネルユニット２７は、ほぼ方形に形成された枠体２８と、該枠体２８上に平面的に敷設された複数個の太陽光発電パネル２９とを主体として構成されており、その枠体２８の下面の一方端縁（図１では上端縁）に突設されたブラケット３０が前記上の支持ブラケット２１の締付けボルト２３によりナットを介して締着固止され、枠体２８の下面の他方端縁（図１では下端縁）に突設されたブラケット３１がステー部材３２を介して前記下の支持ブラケット２２の締付けボルト２４に対しナットにより締着固止されされている。
【００２９】
しかして、太陽光発電パネルユニット２７は、支持マスト４に対しその太陽光発電パネル２９の受光部をほぼ斜め上向きに指向された状態で装設されるものであり、また、前記
上下の支持ブラケット２１、２２における締付けボルト２３、２４の締付けを弛緩して該
支持マスト４の軸回りの回動を許容することにより、該支持マスト４の軸回りに対する回動変位可能となる。
【００３０】
本実施例の取付け装置１は、上述のように構成したものであり、傾斜勾配を有する屋根R側に対し４ヶ所に敷設された固定部材７〜７に両縦フレーム２，２を固定するとともに、この両縦フレーム２、２の一方端側間に横架状態で横フレーム３を組付け、この横フレーム３に対して風力発電機１２を装設した支持マスト４を立設状態で組付けるものであるから、風力発電機１２を装設した支持マストを立設状態で組付けた横フレーム３が、屋根Rに対して安定した状態で取付け固定された縦フレーム２、２によって強固にかつ安定した状態で組付けられる。
したがって、傾斜勾配を有する家屋の屋根Ｒ側に対して風力発電機１２を装設した支持マスト４を強固にかつ安定した状態で取付け固定することができるものである。
【００３１】
そして、横フレームと支持マストとは、該支持マスト４が締付けボルト１４によって締着される固定部材１３、この固定部材１３に突設された取付けボルト１５、該取付けボルト１５に設けられた一対の挟持部材３３及び該取付けボルト１５に螺合されるナット１５ａによって横フレーム３に対して立設状態で組付けられるものであるから、締付けボルト１４の締付けを弛緩して固定部材１３を横フレーム３の軸回りの回動変位することにより、屋根Ｒの傾斜勾配に対応して取付け固定される縦フレーム２、２の種々の傾斜角度に対し支持マスト４を常に垂直状の立設状態で組付け固定することができる。このことは、屋根Ｒの種々異なる傾斜勾配に対応して風力発電機１２を装設した支持マスト４の垂直な立設状態を簡単かつ容易に確保することができる。
【００３２】
また、支持マスト４と２本の両縦フレーム２、２の他端部との間にはそれぞれステー部材１８，１８が張設されているので、縦フレーム２、２（横フレーム３）に対する風力発電機１２を装設した支持マスト４の組付けを一層強固にしてその立設状態を確実に確保することができる。
【００３３】
さらに、屋根Ｒにおいて、固定部材７〜７のうち、屋根Ｒの傾斜方向に沿って対向する２個の固定部材７、７に対しそれぞれ縦フレーム２、２が結合部材８を介して締着固定され、該縦フレーム２、２に対し、上面の取付け溝５に嵌合定置されるＴ型ボルト及びそのネジ部に螺合されたナットからなる締付け手段９を弛緩して固定部材１０、１０の固定位置を変えるとともに、同じく取付け溝５に嵌合定置されるＴ型ボルト及びそのネジ部に螺合されたナットをからなる締付け手段１９を弛緩して固定部材２０の固定位置を変えることにより、横フレーム３とステー部材１８，１８とが縦フレーム２、２の傾斜方向に沿う取付け位置が調整される。この場合、ステー部材１８、１８における取付けブラケット１６においては、その取付け片１６ａ、１６ａの取付けボルト１７を弛緩しておき、支持マスト４に対する上下動を許容するものである。
これによって、種々異なる傾斜勾配の屋根Ｒに対応して風力発電機１２を装設した支持マスト４の垂直な立設状態を簡単かつ容易に確保することができるものである。
【００３４】
また、支持マスト４に対し、太陽光発電用パネルユニット２７を、上の支持ブラケット２１の締付けボルト２３によりナットを介して締着固止され、前記下の支持ブラケット２２の締付けボルト２４によりステー部材３２を介して締着固止して、その太陽光発電パネル２９の受光部をほぼ斜め上向きに指向された安定した状態で簡易に装設することができる。
【００３５】
そして、上下の支持ブラケット２１、２２を、締付けボルト２３、２４の締付けを弛緩して支持マスト４に対する軸回りの回動を許容することにより、太陽光発電用パネルユニット２７全体の支持マスト４の軸回りの位置を簡単に調整することができ、その太陽光発電用パネル２９の受光部を常に太陽の向きに指向させることができる。
【図面の簡単な説明】
【００３６】
【図１】本発明の一実施例の側面図である。
【図２】同じく、風力発電機及び太陽光発電パネルユニットを省略した枠組みを示す拡大平面図である。
【図３】支持マストに対する太陽光発電用パネルユニットの取付け状態を略示する一部破断を含む平面図である。
【図４】図２のＡ−Ａ線拡大断面図である。
【図５】図４のＢ−Ｂ線拡大断面図である。
【図６】図１のＣ−Ｃ線拡大断面図である。
【図７】図６のＤ−Ｄ線拡大断面図である。
【図８】図１のＥ−Ｅ線拡大断面図である。
【符号の説明】
【００３７】
１  取付け装置
２  縦フレーム
３  横フレーム
４  支持フレーム
７  固定手段
１２  風力発電機
２７  太陽光発電パネルユニット
Ｒ  屋根
【図１】
2007120318.tif 000003
【図２】
2007120318.tif 000004
【図３】
2007120318.tif 000005
【図４】
2007120318.tif 000006
【図５】
2007120318.tif 000007
【図６】
2007120318.tif 000008
【図７】
2007120318.tif 000009
【図８】
2007120318.tif 000010